(57)【要約】  【課題】  演奏時の音質を向上でき且つ演奏し易い木管楽器を提供すること。  【解決手段】  頭部管２の内周部は、押圧ワッシャ８よりも開口端２ａ側に存在する開放空間２ｂと、反射板７及び押圧ワッシャ８間に存在する閉塞空間２ｃとに区画される。そして、この頭部管２の閉塞空間２ｃの方には頭部管２と略同心状となるスリーブ９が介在される。また、スリーブ９の内周部中央にはスクリュー軸５が内挿される。更に、スリーブ９は、その内周部が押圧ワッシャ８の穿孔８ｅを通じて頭部管２の開放空間２ｂと連通されると共に、その外周にコルク栓１０が密着した状態で外嵌される。そして、コルク栓１０は、その外周面が頭部管２の内周面に当接され、その軸方向両端がそれぞれコルク押圧面８ｃと反射板７とに当接されて、反射板７及び押圧ワッシャ８間に狭装される。【選択図】        図１
2006195234.tif 000002
【特許請求の範囲】
【請求項１】
吹き口が設けられる筒状体である頭部管と、
その頭部管における反胴部管側の開口端からその頭部管の軸芯部に遊挿されるスクリュー軸と、
そのスクリュー軸の基端部に連結され前記開口端に嵌着されるヘッドキャップと、
そのヘッドキャップが嵌着される前記開口端から前記吹き口までの間に配設され前記頭部管内周部を軸方向に区画して前記スクリュー軸の先端部と連結される反射板と、
その反射板と間隔を空けて前記頭部管内周部の前記開口端側に対向配置され前記スクリュー軸が螺挿される押圧ワッシャとを備えている木管楽器において、
前記頭部管と略同心の筒状体に形成されると共に前記押圧ワッシャ及び反射板間に介在されて前記スクリュー軸が内挿されるスリーブと、
そのスリーブに外嵌される筒状体であって前記頭部管内周面に当接され前記反射板及び押圧ワッシャ間に狭装されるコルク栓とを備えていることを特徴とする木管楽器。
【請求項２】
前記頭部管の内周部には、前記押圧ワッシャよりも前記開口端側に存在する内部空間が設けられており、
前記押圧ワッシャには、その頭部管の内周部に設けられる前記内部空間と前記スリーブの内周部とを連通させる穿孔が貫通形成されていることを特徴とする請求項１記載の木管楽器。
【請求項３】
前記内部空間に配設されて、前記頭部管の内径より外径が小さな円盤状に形成されて、前記スクリュー軸が中央部に螺装される調音コルクを備えていることを特徴とする請求項１又は２に記載の木管楽器。
【請求項４】
前記調音コルクは、前記押圧ワッシャ側の端部が前記ヘッドキャップ側の端部よりも外径が小さな円錐台状に形成されていることを特徴とする請求項１から３のいずれかに記載の木管楽器。
【発明の詳細な説明】
【技術分野】
【０００１】
本発明は、フルート、ピッコロなどの木管楽器に関して、特に、吹奏時の音色や音質を向上することができる木管楽器に関するものである。
【背景技術】
【０００２】
従来におけるリードのないフルートによれば、反射板及びコルク栓がスクリュー軸を介して頭部管内部に装備されており、そのスクリュー軸をヘッドキャップにより回転させて反射板を頭部管の軸方向に移動調整することでピッチ（音高）を調節するように構成されている。また、このような従来のフルートによれば、スクリュー軸に取り付けられたワッシャによってコルク栓を押圧することで、当該コルク栓の外径を増大させて、当該コルク栓が頭部管の内周面に圧接されるように構成されており、この圧接によって頭部管内の気密性が確保されて頭部管からの「息漏れ」が防止されるのである。
【特許文献１】特開平１０−１２４０４２号公報
【特許文献２】特開２００３−５７４２号公報
【発明の開示】
【発明が解決しようとする課題】
【０００３】
しかしながら、上記したフルートでは、ヘッドキャップと吹き口との間に反射板が配設され音波を反射させ易く構成されているものの、かかる反射板と中実型のコルク栓とが密着しているため、音色の輪郭が不鮮明で、音の発生時の立ち上がり速度が遅いという問題点があった。しかも、このようなコルク栓を使用したフルートでは、吹奏時の音の移行が不明瞭で、音の発生時に大量の呼気を吹き口へ吹き込まなければならないという問題点もあった。
【０００４】
そこで、本発明は上述した問題点を解決するためになされたものであり、吹奏時の音質を向上でき且つ吹奏し易い木管楽器を提供することを目的としている。
【課題を解決するための手段】
【０００５】
この目的を達成するために請求項１記載の木管楽器は、吹き口が設けられる筒状体である頭部管と、その頭部管における反胴部管側の開口端からその頭部管の軸芯部に遊挿されるスクリュー軸と、そのスクリュー軸の基端部に連結され前記開口端に嵌着されるヘッドキャップと、そのヘッドキャップが嵌着される前記開口端から前記吹き口までの間に配設され前記頭部管内周部を軸方向に区画して前記スクリュー軸の先端部と連結される反射板と、その反射板と間隔を空けて前記頭部管内周部の前記開口端側に対向配置され前記スクリュー軸が螺挿される押圧ワッシャとを備えており、前記頭部管と略同心の筒状体に形成されると共に前記押圧ワッシャ及び反射板間に介在されて前記スクリュー軸が内挿されるスリーブと、そのスリーブに外嵌される筒状体であって前記頭部管内周面に当接され前記反射板及び押圧ワッシャ間に狭装されるコルク栓とを備えている。
【０００６】
この請求項１記載の木管楽器によれば、ヘッドキャップが回転されスクリュー軸が頭部管内周部で空転されると、押圧ワッシャが反射板との近接方向へ押動される。すると、コルク栓は軸方向に圧縮変形され、この変形によりコルク栓の外径が増大されて、コルク栓の外周面が頭部管の内周面に圧接される。この結果、コルク栓と頭部管との気密性が確保され、吹き口へ吹き込まれた息が開口端から漏れ出る「息漏れ」が防止される。
【０００７】
また、吹き口へ呼気を吹き込むことで発生した音波が頭部管内で共鳴する場合、この音波は反射板にも衝突してこれを振動させる。この反射板の振動はさらにスリーブの内周部の空気を振動させて、スリーブ内周部でも音を共鳴させる。しかも、コルク栓はスリーブの外周に外嵌される筒状体であるので、従来の中実型のコルク栓に比べれば音波の減衰を招きに難くされている。
【０００８】
請求項２記載の木管楽器は、請求項１記載の木管楽器において、前記頭部管の内周部には、前記押圧ワッシャよりも前記開口端側に存在する内部空間が設けられており、前記押圧ワッシャには、その頭部管の内周部に設けられる前記内部空間と前記スリーブの内周部とを連通させる穿孔が貫通形成されている。このため、スリーブ内周部で生じた音の共鳴は、押圧ワッシャの穿孔を通じて、頭部管内周における開口端側の内部空間へも効率的に伝播される。
【０００９】
請求項３記載の木管楽器は、請求項１又は２に記載の木管楽器において、前記内部空間に配設されて、前記頭部管の内径より外径が小さな円盤状に形成されて、前記スクリュー軸が中央部に螺装される調音コルクを備えている。よって、この調音コルクはスクリュー軸を介して頭部管における開口端側の内部空間を軸方向に移動される。
【００１０】
請求項４記載の木管楽器は、請求項１から３のいずれかに記載の木管楽器において、前記調音コルクは、前記押圧ワッシャ側の端部が前記ヘッドキャップ側の端部よりも外径が小さな円錐台状に形成されている。
【発明の効果】
【００１１】
請求項１記載の木管楽器によれば、コルク栓を筒状体に形成して同じく筒状体のスリーブに外嵌することで、頭部管内周部における吹き口側の部分のみならず、コルク栓内周に存在するスリーブ内周部においても音を共鳴させることができるという効果がある。この結果、従来の中実型コルク栓を使用した木管楽器に比べて、音色の輪郭を際立たせ、音の発生時の立ち上がり速度を高め、吹奏時の音の移行をスムーズにでき、少量の呼気で音を発生できるという効果を奏することができる。
【００１２】
請求項２記載の木管楽器によれば、請求項１記載の木管楽器の奏する効果に加え、スリーブ内周部での音の共鳴は押圧ワッシャの穿孔を通じて頭部管内周における開口端側の内部空間へも伝播されるので、頭部管のほぼ全体で音を効率的に共鳴させることができるという効果がある。
【００１３】
請求項３又は４に記載の木管楽器によれば、請求項１又は２に記載の木管楽器の奏する効果に加え、調音コルクの位置を押圧ワッシャに対して接近又は遠離させることで、頭部管開口端側の内部空間へ伝播した音波の振動を変更させて、吹奏時の抵抗感や音色の変化を調整することができるという効果がある。
【発明を実施するための最良の形態】
【００１４】
以下、本発明の好ましい実施例について、添付図面を参照して説明する。図１は、本発明の木管楽器の一実施例であるフルート１の頭部管２の部分的な縦断面図である。図１に示すように、フルート１の頭部管２は、その軸方向（図１左右方向）両端が開放された筒状体であり、例えばプラチナなどの金属製の円筒管で形成されている。この頭部管２の軸方向一端側（図１左側）には開口端２ａが開口形成されており、この開口端２ａは、頭部管２における胴部管（図示せず）の接続端（図１右側）とは反対側（反胴部管側）の端部である。
【００１５】
また、頭部管２の外周面にはリッププレート３が貼着されている。このリッププレート３の中央には頭部管２の内周部に連通する吹き口４が穿設されており、この吹き口４は、頭部管２の開口端２ａから頭部管２の全長の略１／３だけ離れた位置に設けられている。この吹き口４へ吹奏者の息が吹き込まれることで頭部管２内には音波が作り出される。更に、頭部管２の内周部における軸芯部にはスクリュー軸５が遊挿されている。
【００１６】
スクリュー軸５は、頭部管２の内径より小さな外径の軸状体であって、その外周面におねじが刻設されている。このスクリュー軸５は、頭部管２の開口端２ａから胴部管接続端側（図１右側）へ向けて延設されている。また、スクリュー軸５の基端部（図１左側）はヘッドキャップ６の中心部に螺合されており、この螺合によってヘッドキャップ６はスクリュー軸５と一体的に連結されている。ヘッドキャップ６は、頭部管２の開口端２ａを閉塞するための蓋体であって開口端２ａの内周に嵌着されている。
【００１７】
一方、スクリュー軸５の先端部（図１右側）には反射板７がロウ付けにより固着されており、この固着によって反射板７はスクリュー軸５と一体的に連結されている。反射板７は、頭部管２内で発生した音波を反射させる板状体であって、頭部管２の内径より若干小径の円盤状に形成されている。この反射板７は、頭部管２における開口端２ａから吹き口４までの区間に配設されており、頭部管２の内周部を軸方向に二分割するように区画している。また、この反射板７よりも開口端２ａ側に位置する頭部管２の内周部には、押圧ワッシャ８が反射板７と間隔を空けて対向配置されている。
【００１８】
押圧ワッシャ８は、反射板７と同様に頭部管２の内径より若干小径の円盤状に形成されるワッシャ本体８ａと、そのワッシャ本体８ａの一面（図１左側）の中央に一体的に凸設された側面視円形状のボス部８ｂとを備えている。また、ワッシャ本体８ａの他面（図１右側）には反射板７との対向したコルク押圧面８ｃが形成され、ボス部８ｂの中央にはスクリュー軸５を押圧ワッシャ８に螺挿させるためのねじ孔８ｄが貫通形成されている。
【００１９】
また、ワッシャ本体８ａには、このワッシャ本体８ａの厚み方向に貫通する穿孔８ｅが形成されている。この穿孔８ｅは、押圧ワッシャ８のワッシャ本体８ａに略等角間隔で合計４個穿設されている（図２参照）。なお、図２は、図１のＩＩ−ＩＩ線における横断面図である。
【００２０】
上記した押圧ワッシャ８によれば、頭部管２の内周部は、押圧ワッシャ８よりも開口端２ａ側に存在する開放空間２ｂと、反射板７及び押圧ワッシャ８間に存在する閉塞空間２ｃとに区画される。そして、この閉塞空間２ｃの方には、反射板７及び押圧ワッシャ８よりも外径が若干小径の円筒状体であって、頭部管２と略同心状となるスリーブ９が介在されている。スリーブ９は、上記したスクリュー軸５の外径よりも内径が大きく形成され、このスリーブ９の内周部中央に上記したスクリュー軸５が内挿されている。
【００２１】
しかも、スリーブ９は、その内周部が上記した押圧ワッシャ８の穿孔８ｅを通じて頭部管２の開放空間２ｂと連通されると共に、その外周にはコルク栓１０が密着した状態で外嵌されている。コルク栓１０はコルク製の円筒状体であって外周面が頭部管２の内周面に当接されている。また、このコルク栓１０の軸方向一端（図１左側）はコルク押圧面８ｃと当接され、コルク栓１０の軸方向他端（図１右側）は反射板７の一面に当接されており、更に、このコルク栓１０は反射板７及び押圧ワッシャ８間に狭装されている。
【００２２】
なお、本実施例ではスリーブ９の材質について特に言及していないが、当該スリーブの材質を変更することでフルート１の発生する音波を様々な波形に変更して、音色を変更させることができる。
【００２３】
以上のように構成されたフルート１によれば、ヘッドキャップ６が一方向へ回転され、スクリュー軸５が頭部管２内周で空転されると、押圧ワッシャ８が反射板７との近接方向（図１右方）へ押動される。すると、コルク栓１０は軸方向に圧縮変形され、この変形によりコルク栓１０の外径が増大されて、コルク栓１０の外周面が頭部管２の内周面に圧接される。この結果、コルク栓１０と頭部管２との気密性が確保され、吹き口４へ吹き込まれた息が開口端２ａから漏れ出る「息漏れ」が防止される。
【００２４】
更に、頭部管２の開放空間２ｂには、フルート１の音色を調整するための調音コルク１１が配設されている。この調音コルク１１は、頭部管２の内径より外径が小さなコルク製の円盤状体であって、その中央部にスクリュー軸５が螺挿されている。そして、調音コルク１１は、より厳密には略円錐台状に形成された円盤状体であって、その小径側の端部（図１右側）が押圧ワッシャ８と対向する姿勢でスクリュー軸５に螺着されている。また、この調音コルク１１の外周と頭部管２の内周面との間には空隙が設けられている。
【００２５】
以上説明した本実施例のフルート１によれば、吹奏者はリッププレート３に唇を当てて吹き口４へと呼気を吹き込むと、フルート１の内周部にある気柱が振動して音波が発生される。この音波は頭部管２自体を振動させると共に反射板７にも反射して当該反射板７自体も振動させる。この反射板７の振動はスリーブ９にも伝播されると共に、スリーブ９の内周部の気柱も振動させる。この結果、頭部管２内では、反射板７よりも胴部管側の内周部で音が共鳴されるのみならず、反射板７及び押圧ワッシャ８間の閉塞空間２ｃ内でも音が共鳴される。
【００２６】
また、スリーブ９の内周部で振動する音波は、穿孔８ｅを通じて開放空間２ｂへも伝播され、この開放空間２ｂ内の気柱をも振動させて、この開放空間２ｂでも音が共鳴させられる。このように穿孔８ｅを通じて音波は直接的に開放空間２ｂ側へ伝播されるので、押圧ワッシャ８のワッシャ本体８ａ及びボス部８ｂが振動して音波を伝播することに比べて、開放空間２ｂ側へ伝播される音波の減衰を抑制できる。
【００２７】
しかも、調音コルク１１をスクリュー軸５の回りで回転させれば、この調音コルク１１を開放空間２ｂ内で軸方向（図１左右方向）に前後移動させることができる。そして、この前後移動によって調音コルク１１の位置調整をすることで、押圧ワッシャ８の穿孔８ｅから開放空間２ｂ側へ伝播してきた音波の振動状態を変更させることができる。このように音波の振動状態を調音コルク１１により変更することで、フルート１の吹奏時の抵抗感や音色変化を調節することができるようにもなるのである。
【００２８】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、本実施例では、本発明の木管楽器としてフルート１を例に説明したが、本発明の適用される木管楽器は必ずしもこれに限定されるものではなく、ピッコロ、アルトフルートなど、フルート１と同種の構造を有する木管楽器に適用しても良い。
【図面の簡単な説明】
【００２９】
【図１】本発明の一実施例であるフルートの頭部管の部分的な縦断面図である。
【図２】図１のＩＩ−ＩＩ線における横断面図である。
【符号の説明】
【００３０】
１                  フルート（木管楽器）
２                  頭部管
２ａ                開口端
２ｂ                開放空間（内部空間）
４                  吹き口
５                  スクリュー軸
６                  ヘッドキャップ
７                  反射板
８                  押圧ワッシャ
８ｅ                穿孔
９                  スリーブ
１０                コルク栓
１１                調音コルク
【図１】
2006195234.tif 000003
【図２】
2006195234.tif 000004